(57)【要約】      （修正有）【課題】光合成を高め、酸素の排出量を増加させるケイ酸塩を含む観葉植物又は樹木用液肥及びそれを用いた植物の育成方法を提供する。【解決手段】ケイ酸塩を含む観葉植物又は樹木用液肥。前記ケイ酸塩が、ケイ酸カリウムである観葉植物又は樹木用液肥。前記ケイ酸塩の濃度が、１〜１００ｐｐｍの範囲内である観葉植物又は樹木用液肥。及びそれを用いた観葉植物又は樹木の育成方法。【選択図】なし【特許請求の範囲】
【請求項１】
ケイ酸塩を含む観葉植物又は樹木用液肥。
【請求項２】
前記ケイ酸塩が、ケイ酸カリウムである請求項１に記載の観葉植物又は樹木用液肥。
【請求項３】
前記ケイ酸塩の濃度が、１〜１００ｐｐｍの範囲内である請求項１又は２に記載の観葉植物又は樹木用液肥。
【請求項４】
さらに、窒素源を、８０〜１００ｐｐｍの範囲内の濃度で含有する請求項１〜３のいずれかに記載の観葉植物又は樹木用液肥。
【請求項５】
さらに、リン源を、３〜１０ｐｐｍの範囲内の濃度で含有する請求項１〜４のいずれかに記載の観葉植物又は樹木用液肥。
【請求項６】
さらに、カリウム源を、６０〜２００ｐｐｍの範囲内の濃度で含有する請求項１〜５のいずれかに記載の観葉植物又は樹木用液肥。
【請求項７】
前記ケイ酸塩、窒素源、リン源及びカリウム源を、
Ｓｉ：Ｎが１：４０〜１：７０のモル比の範囲内、
Ｓｉ：Ｐが１：１〜１：６のモル比の範囲内、又は
Ｓｉ：Ｋが１：３０〜１：６０のモル比の範囲内
の割合で含有する請求項１〜６のいずれかに記載の観葉植物又は樹木用液肥。
【請求項８】
さらに、マグネシウム源、鉄源、マンガン源、ホウ素源、亜鉛源、銅源、モリブデン源及びニッケル源からなる群から選択される１以上を含有する請求項１〜７のいずれかに記載の観葉植物又は樹木用液肥。
【請求項９】
ｐＨが、５．０〜８．０の範囲内である請求項１〜８のいずれかに記載の観葉植物又は樹木用液肥。
【請求項１０】
電気伝導度（ＥＣ）が、０．３〜１．５ｍＳ／ｃｍの範囲内である請求項１〜９のいずれかに記載の観葉植物又は樹木用液肥。
【請求項１１】
観葉植物又は樹木に、請求項１〜１０のいずれかに記載の観葉植物又は樹木用液肥を施用する観葉植物又は樹木の育成方法。
【請求項１２】
前記観葉植物又は樹木用液肥を、該観葉植物又は樹木の根元に、１週間毎に施用する請求項１１に記載の観葉植物又は樹木の育成方法。
【発明の詳細な説明】
【技術分野】
【０００１】
本発明は、ケイ酸塩を含む液肥及びそれを用いた植物の育成方法に関する。
【背景技術】
【０００２】
植物の多くは、大気中の二酸化炭素を吸収して光合成により炭酸同化を行い、酸素を放出する。植物には、酸素を増加させ、大気環境を改善する機能があることは広く知られている。それ故、病院や学校等の施設や企業等において、観葉植物を設置することが広く行われている。このため、観葉植物の光合成を促進させることができれば、その大気環境改善機能をより向上させることが可能となる。さらには、イベント会場等の多数の人が集まる屋内だけでなく屋外環境でも、酸素量を補うために植物の光合成を促進させて酸素排出量を高め、大気環境を改善することが望まれる。特に２０２０年開催の東京オリンピック会場等には多くの人が詰めかけることが予測され、このような場所において、観葉植物や樹木の周囲環境への寄与が期待される。
【０００３】
ところが、農作物や花卉などの植物に育成にする技術開発は多く見られるものの、鉢植えなどに用いられる観葉植物に着目して、その光合成機能を向上させるための研究開発は未だ十分なされているとは言えない。
【０００４】
ここで、植物の育成に関する先行技術文献としては、例えば特許文献１に記載の植物の成長促進及び貯蔵性改善方法、特許文献２に記載の育苗方法、特許文献３に記載の植物の栽培方法等を挙げることができる。
特許文献４には、ケイ酸カリウムを水稲栽培に用いることが記載されている。
また、本願出願人は、ケイ素成分を用いた観葉植物の育成方法を開発している（特許文献５）。
【先行技術文献】
【特許文献】
【０００５】
【特許文献１】特開２００２−２０２１２号公報
【特許文献２】特開２００５−６５０２号公報
【特許文献３】特開２００２−１４２５６２号公報
【特許文献４】特開２０１４−２１２７０３号公報
【特許文献５】特表２０１５−５０７４６９号公報
【発明の概要】
【発明が解決しようとする課題】
【０００６】
本発明の目的は、ケイ酸塩を含む液肥及びそれを用いた植物の育成方法を提供することである。
より詳細には、観葉植物又は樹木にケイ酸塩を含む液肥を与えることによって、光合成を促進させ、通常よりも多くの酸素を排出させることを目的とする。
【課題を解決するための手段】
【０００７】
本発明によれば、以下の観葉植物又は樹木用液肥及びその施用方法が提供される。
１．ケイ酸塩を含む観葉植物又は樹木用液肥。
２．前記ケイ酸塩が、ケイ酸カリウムである１に記載の観葉植物又は樹木用液肥。
３．前記ケイ酸塩の濃度が、１〜１００ｐｐｍの範囲内である１又は２に記載の観葉植物又は樹木用液肥。
４．さらに、窒素源を、８０〜１００ｐｐｍの範囲内の濃度で含有する１〜３のいずれかに記載の観葉植物又は樹木用液肥。
５．さらに、リン源を、３〜１０ｐｐｍの範囲内の濃度で含有する１〜４のいずれかに記載の観葉植物又は樹木用液肥。
６．さらに、カリウム源を、６０〜２００ｐｐｍの範囲内の濃度で含有する１〜５のいずれかに記載の観葉植物又は樹木用液肥。
７．前記ケイ酸塩、窒素源、リン源及びカリウム源を、
Ｓｉ：Ｎが１：４０〜１：７０のモル比の範囲内、
Ｓｉ：Ｐが１：１〜１：６のモル比の範囲内、又は
Ｓｉ：Ｋが１：３０〜１：６０のモル比の範囲内
の割合で含有する１〜６のいずれかに記載の観葉植物又は樹木用液肥。
８．さらに、マグネシウム源、鉄源、マンガン源、ホウ素源、亜鉛源、銅源、モリブデン源及びニッケル源からなる群から選択される１以上を含有する１〜７のいずれかに記載の観葉植物又は樹木用液肥。
９．ｐＨが、５．０〜８．０の範囲内である１〜８のいずれかに記載の観葉植物又は樹木用液肥。
１０．電気伝導度（ＥＣ）が、０．３〜１．５ｍＳ／ｃｍの範囲内である１〜９のいずれかに記載の観葉植物又は樹木用液肥。
１１．観葉植物又は樹木に、１〜１０のいずれかに記載の観葉植物又は樹木用液肥を施用する観葉植物又は樹木の育成方法。
１２．前記観葉植物又は樹木用液肥を、該観葉植物又は樹木の根元に、１週間毎に施用する１１に記載の観葉植物又は樹木の育成方法。
【発明の効果】
【０００８】
本発明によれば、ケイ酸塩を含む液肥及びそれを用いた植物の育成方法が提供できる。
【発明を実施するための形態】
【０００９】
［観葉植物又は樹木用液肥］
本発明の観葉植物又は樹木用液肥（以下、本発明の液肥という）は、ケイ酸塩を含むことを特徴とする。
本発明の液肥は、室内で栽培される観葉植物だけでなく、屋外で栽培される樹木、庭園の樹木や街路樹にも施用することで、成長を促進し、葉を茂らせて、葉緑体を増やすことで光合成を促進することができる。
【００１０】
ここで「液肥」とは、植物の生育に必要な養分を含み、窒素、リン及びカリウム等の栄養源を含む肥料のうち、栽培時に液状で植物に施用されるものをいう。
【００１１】
ケイ酸塩としては、ケイ酸カリウム（Ｋ２ＳｉＯ２）、ケイ酸マグネシウム、ケイ酸カルシウム等が挙げられ、ケイ酸カリウムが好ましい。
ケイ酸カリウムには、従来から肥料としての効果が知られている（例えば、特許文献１及び２）。特にイネの栽培時にイネの葉が倒れることを防止するのに有効であることが知られている（特許文献４）。
また、本願出願人は、ケイ素成分を用いた観葉植物の育成方法を提案している（特許文献５）が、より光合成を高めることができる組成を有する液肥を提供する。
【００１２】
ケイ酸塩は植物の生長を促進し、特に葉を茂らせ、より多くの光合成可能な面積を大きくして、光合成を高めることができる。
さらに、ケイ酸塩は植物の表皮構造を強化すると考えられており、ウイルスや菌の侵入を防いで耐病性を向上させ、害虫の産卵を抑制する効果もあると考えられる。
【００１３】
本発明の液肥におけるケイ酸塩の濃度は、１〜１００ｐｐｍの範囲内であることが好ましく、１〜２０ｐｐｍの範囲内であることがより好ましく、１〜１０ｐｐｍの範囲内であることがさらに好ましい。ケイ酸塩の濃度が１００ｐｐｍを超えると、液肥のｐＨが高くなる傾向があり、植物へのアルカリ障害が発生するおそれがある。また、ケイ酸塩の濃度が高いと、鉄等の要素欠乏が生じるおそれがある。
【００１４】
本発明の液肥は、窒素源を、８０〜１００ｐｐｍの範囲内の濃度で含有することが好ましく、８５〜９５ｐｐｍの範囲内がより好ましい。
【００１５】
本発明の液肥は、リン源を、３〜１０ｐｐｍの範囲内の濃度で含有することが好ましく、５〜７ｐｐｍの範囲内がより好ましい。
【００１６】
本発明の液肥は、カリウム源を、６０〜２００ｐｐｍの範囲内の濃度で含有することが好ましく、６０〜１００ｐｐｍの範囲内がより好ましい。
【００１７】
本発明の液肥においては、ケイ酸塩（ケイ素源）、窒素源、リン源及びカリウム源を、それぞれ以下の割合で含有する。
Ｓｉ：Ｎが１：４０〜１：７０のモル比の範囲内で含有することが好ましく、１：４５〜１：６０のモル比の範囲内で含有することがより好ましい。
Ｓｉ：Ｐが１：１〜１：６のモル比の範囲内で含有することが好ましく、１：２．５〜１：４のモル比の範囲内で含有することがより好ましい。
Ｓｉ：Ｋが１：３０〜１：１００のモル比の範囲内で含有することが好ましく、１：３０〜１：６０のモル比の範囲内で含有することがより好ましい。
肥料の三大要素とケイ素との割合が上記範囲内であることにより、植物の生長をより促進することができる。
【００１８】
本発明の液肥は、上記ケイ素源、窒素源、リン源及びカリウム源以外に、各種の成分（以下、微量要素と呼ぶことがある。）を含有することができる。例えば、マグネシウム源、鉄源、マンガン源、ホウ素源、亜鉛源、銅源、モリブデン源及びニッケル源からなる群から選択される１以上を含有することが好ましい。これらの成分の種類及び配合量は、施用対象の植物の特性や土壌に合わせて適宜選択すればよい。
【００１９】
マグネシウム源としては、例えば、ＭｇＳＯ４・７Ｈ２Ｏ、Ｍｇ（ＮＯ３）２・６Ｈ２０等が好ましく、その配合量は、３５〜８０ｐｐｍの範囲内であることが好ましく、４０〜６０ｐｐｍの範囲内がより好ましい。
【００２０】
鉄源としては、例えば、Ｆｅ−ＥＤＴＡ・３Ｈ２Ｏ、ＦｅＳＯ４・７Ｈ２Ｏ等が好ましく、その配合量は、０．３〜０．７ｐｐｍの範囲内であることが好ましく、０．５〜０．６ｐｐｍの範囲内がより好ましい。
【００２１】
マンガン源としては、例えば、ＭｎＳＯ４・５Ｈ２Ｏ等が好ましく、その配合量は、０．８５〜１．１５ｐｐｍの範囲内であることが好ましく、０．９〜１．０ｐｐｍの範囲内がより好ましい。
【００２２】
ホウ素源としては、例えば、Ｈ３ＢＯ３等が好ましく、その配合量は、０．３５〜０．６５ｐｐｍの範囲内であることが好ましく、０．４〜０．６ｐｐｍの範囲内がより好ましい。
【００２３】
亜鉛源としては、例えば、ＺｎＳＯ４・５Ｈ２Ｏ等が好ましく、その配合量は、０．１〜０．３ｐｐｍの範囲内であることが好ましく、０．１５〜０．２５ｐｐｍの範囲内がより好ましい。
【００２４】
銅源としては、例えば、ＣｕＳＯ４・５Ｈ２Ｏ等が好ましく、その配合量は、０．００８〜０．２ｐｐｍの範囲内であることが好ましく、０．００９〜０．０１ｐｐｍの範囲内がより好ましい。
【００２５】
モリブデン源としては、例えば、（ＮＨ４）６ＭｏＯ４・４Ｈ２Ｏ等が好ましく、その配合量は、０．００１〜０．０２ｐｐｍの範囲内であることが好ましく、０．００３〜０．０７ｐｐｍの範囲内がより好ましい。
【００２６】
ニッケル源としては、例えば、ＮｉＣｌ２・６Ｈ２Ｏ等が好ましく、その配合量は、０．００１〜０．０５ｐｐｍの範囲内であることが好ましく、０．０１〜０．０３ｐｐｍの範囲内がより好ましい。
【００２７】
本発明の液肥は、上記成分の他、市販の肥料や液肥に一般的に用いられる添加剤を含有していてもよい。
【００２８】
本発明の液肥は、ｐＨが５．０〜８．０の範囲内であることが好ましく、５．５〜７．５の範囲内であることがより好ましく、６．０〜７．０の範囲内であることがさらに好ましい。ｐＨが８．０を超えると、アルカリ障害が発生するおそれがある。また、ｐＨが５．０を下回ると、生育障害が生じるおそれがある。
【００２９】
本発明の液肥は、電気伝導度（ＥＣ）が、０．３〜１．５ｍＳ／ｃｍの範囲内であることが好ましく、０．５〜１．０ｍＳ／ｃｍの範囲内であることがより好ましい。電気伝導度（ＥＣ）が１．５ｍＳ／ｃｍを超えると、根からの水分吸収が妨げられ植物が枯れるおそれがある。また、電気伝導度が０．３ｍＳ／ｃｍを下回ると、土壌中の肥料成分が不足し植物の生育が遅れるおそれがある。
【００３０】
本発明の液肥は、当業界で公知の方法で製造でき、例えば、実施例に記載の方法を用いることができる。
【００３１】
本発明の液肥においては、ｐＨが６．０〜７．０の範囲内であり、かつ電気伝導度（ＥＣ）が０．５〜１．０ｍＳ／ｃｍの範囲内であることが好ましい。
【００３２】
本発明の肥料を施用する対象の観葉植物としては、その肥料として、珪酸塩が必須の成分ではない植物が挙げられる。従って、稲は除かれるが、木本類、及び草本類のいずれも対象とすることができる。具体的には、例えば、ポトス類やアレカヤシ等の観葉植物が挙げられる。その他、ボストンタマシダ、ポットマム、ガーベラ、シンノウヤシ、アオワーネッキー、カマエドレア・ザイフリッツィー、ネフロレピス・オブリテラータ、インドゴムノキ、セイヨウキヅタ、ベンジャミンゴムノキ、スパティフィラム、ドラセナ・フラグランス「マッサンゲアナ」・カンノンチク、ブラッサイア・アクティノフィラ、ベニフクリン・センネンボク、ドラセナ「ウォーネッキー」、コヤブラン、デンドロビウム、ディフェンバキア「エキゾチカ・コンパクタ」、チューリップ、フィクス・アリイ、ホマロメナ・バリシー、テーブルヤシ、アザレア、アクラオネマ「シルバー・クイーン」、ナカフオリヅルラン、矮性バナナ、フィロデンドロン・エルベスケンス、ディフェンバキア「カミーラ」、フィロデンドロン・ドメスティクム、シマナンヨウスギ、ベゴニア・センパ・フローレンス、マランタ・レウコネウラ「ケルショビアナ」、シッサス・ロンビフォリア「エレン・ダニカ」、クリスマス・カクタス、フィロデンドロン・セロウム、シンゴニウム、ヒメカズラ、アンスリウム、カラテア、ポインセチア、シクラメン、ファレノプシス、エクメア・ファスキアタ、クロトン、サンセベリア・トリファスキアタ、アロエ・ベラ、又は、カランコ等が挙げられる。
【００３３】
本発明の肥料を施用する対象の樹木としては、その肥料として、珪酸塩が必須の成分ではない樹木が挙げられる。樹木としては特に限定されないが、例えば、公園等に植樹されるものや、街路樹として植樹されているものが挙げられる。具体的には、アオギリ、アキニレ、アメリカフウ、イチョウ、イヌツゲ、イヌマキ、ウバメガシ、ウメ、エンジュ、カイヅカイブキ、カイドウ、カクレミノ、カツラ、カナメモチ、キンモクセイ、クスノキ、クロガネモチ、クロマツ、ケヤキ、コブシ、サクラ、サザンカ、サルスベリ、サワラ、サンゴジュ、シイノキ、シダレヤナギ、シモクレン、シラカシ、タイサンボク、タブノキ、ドイツトウヒ、トウカエデ、トウネズミモチ、トチノキ、ナツツバキ、ネズミモチ、ハモクレン、ハナズオウ、ハナミズキ、ヒイラギモクセイ、ヒマラヤスギ、ミモザ、プラタナス、ポプラ、マテバシイ、ムクゲ、メタセコイア、モチノキ、モッコク、ヤブツバキ、ヤマモミジ、ヤマモモ、ユリノキ、ライラック、ラクウショウ、アオキ、アジサイ、アセビ、アベリア、エニシダ、オオムラサキツツジ、カンツバキ、キャラボク、キョウチクトウ、キリシマツツジ、クチナシ、コデマリ、サツキ、シャリンバイ、ジンチョウゲ、ドウダンツツジ、トベラ、ナワシログミ、ニシキギ、ハイビャクシン、ハクチョウゲ、ハコネウツギ、ヒイラギナンテン、ヒュウガミヅキ、ビョウヤナギ、ピラカンサ、ボケ、セイヨウツゲ、マサキ、ミヤギノハギ、ヤツデ、ヤマブキ、ユキヤナギ、レンギョウ、キヅタ、コトネアスター、アイビー、ツキヌキニンドウ、ツルマサキ、テイカズラ、ナギイカダ、ツタ、ビナンカズラ、ビンカ・ミノール、フジ、フッキソウ、ムベ、ヤブコウジ、オカメザサ、クマザサ、クロチク、ダイミョウチク、カナリーヤシ、シュロ、ニオイシュロラン、アラカシ、ニオイヒバ、ナナカマド、ナンキンハゼ、カルミア、オオゴンコノテガシワ、シャクナゲ、ハマヒサカキ、シバザクラ、セイヨウイワナンテン、ピペリカム、マツバギク、リュノヒゲ、コクマザサ、メダケ、ワシントンヤシ等が挙げられる。
【００３４】
［観葉植物又は樹木の育成方法］
本発明の観葉植物又は樹木の育成方法（以下、本発明の育成方法という）は、上記本発明の液肥を観葉植物又は樹木に施用することを特徴とする。
本発明の液肥を施用する本発明の育成方法によれば、施用対象植物の生長を促進し、葉を茂らせて葉緑体を増加させて光合成を促進し、酸素排出量を増加させることができる。これにより、周囲の大気環境を改善することができる。
【００３５】
本発明の育成方法においては、本発明の液肥をどこに施用するかについては特に制限は無く、植物体に施用してもよいし、根元に施用してもよい。一般的には、根元に施用することが好ましい。
【００３６】
また、本発明の液肥の施用頻度は、対象植物や周囲環境、季節等に応じて適宜設定すればよい。基本的には土壌が乾いてきたら施用すればよく、例えば、１週間毎に施用することが好ましい。
【００３７】
本発明の液肥の１回当たりの施用量も、対象植物や周囲環境、季節等に応じて適宜設定すればよい。鉢植えであれば、鉢から液肥が流れ出るまでたっぷりと与え、根全体に液肥が十分に行き渡らせることが好ましい。
【実施例】
【００３８】
以下、実施例及び比較例を挙げて本発明をより具体的に説明するが、本発明はこれらの実施例に限定されるものではない。
【００３９】
実施例１：液肥の製造
主要成分である、
１０．４ｇ／Ｌの硝酸アンモニウム（ＮＨ４ＮＯ３）、
４７．２ｇ／Ｌの硝酸カルシウム（Ｃａ（ＮＯ３）２・４Ｈ２Ｏ）、
１．８ｇ／Ｌのリン酸２水素アンモニウム（ＮＨ４Ｈ２ＰＯ４）、
１７．４ｇ／Ｌの硫酸カリウム（Ｋ２ＳＯ４）、
４９．３ｇ／Ｌの硫酸マグネシウム・７水和物（ＭｇＳＯ４・７Ｈ２Ｏ）、
４．２ｇ／Ｌのキレート鉄（Ｆｅ−ＥＤＴＡ・３Ｈ２Ｏ）、及び
１．０ｇ／Ｌのケイ酸カリウム（Ｋ２ＳｉＯ３）
の１００倍溶液をそれぞれ作成した。
【００４０】
微量要素である、
硫酸マンガン（ＭｎＳＯ４・５Ｈ２Ｏ）、
ホウ酸（Ｈ３ＢＯ３）、
硫酸亜鉛・５水和物（ＺｎＳＯ４・５Ｈ２Ｏ）、
硫酸銅・５水和物（ＣｕＳＯ４・５Ｈ２Ｏ）、及び
モリブデン酸アンモニウム・４水和物（（ＮＨ４）６ＭｏＯ４・４Ｈ２Ｏ）
を含む５００倍溶液を作成し、その後に蒸留水を加えて５倍希釈し、１００倍溶液を得た。
【００４１】
次に、上記主要成分の１００倍溶液の各１００ｍＬと、微量要素の１００倍溶液１００ｍＬとを合わせて、８００ｍＬの溶液を得た。
【００４２】
製造した液肥の組成を下記表１に示す。
また、得られた液肥（下記試験例で施肥する液肥）のｐＨは、６．３であり、電気伝導度（ＥＣ）は、０．８４ｍＳ／ｃｍであった。
【００４３】
【表１】
2020132442.tif 000002
【００４４】
試験例
下記用土及び給水を用いて、下記表２に示す試験区で下記被験植物を生育したときの、被験植物の生長に及ぼす影響を比較した。結果を下記表２に示す。
【００４５】
材料
被験植物：ゴールデンポトス  ３本／１試験区（ｎ＝３）
用土：
園芸用土（商標名：バイオランド、有限会社京栃製造製）
炭づつみ（商標名：チャコボール、東洋電化工業株式会社製）
【００４６】
給水：
(1)実施例１で製造した液肥を１００倍希釈したもの（以下、実施例１の液肥という）を施用した。
(2)ハイポネックス new レシオ（登録商標、ハイポネックスジャパン株式会社製；以下、ハイポネックスという）窒素、リン酸、カリの他に微量要素、ビタミンを含む、（窒素／リン／カリ比率＝６．５／６．０／１９）；ケイ酸塩を含まない市販の液肥
(3)水道水：対照
【００４７】
実験手順
１）採穂：
挿し穂からの発根が節の位置に大きな影響があるため、長さは４０ｃｍ前後とし、挿した時に用土中に必ず一つの節が入るように挿し穂の長さを調整後、水道水に水挿しし、１週間後に発根が確認された穂だけを選抜し、定植に用いた。
２）挿し芽：
各用土を９ｃｍポリポットに充填し、そこに上記挿し穂を１本ずつ定植した。
３）栽培管理：
実験室内（最低照度６００ｌｘ）で栽培した。施肥は、定植直後から実施した。
施肥は、定植初日、１週間後、２週間後、３週間後、４週間後、５週間後及び６週間後に行った。
【００４８】
評価
試験開始時及び試験終了時の、地上部及び根の生体重（ｇ）と乾物重（ｇ）、着生葉数、シュート長を測定した。
乾物増加重（ｇ）から、ＣＯ２固定換算量（ｇ／株）を算出した。ここで、「ＣＯ２固定換算量（ｇ／株）」とは、光合成反応（６ＣＯ２＋１２Ｈ２Ｏ→Ｃ６Ｈ１２Ｏ６＋６Ｈ２Ｏ＋６Ｏ２；６分子のＣＯ２から１分子のブドウ糖が作られ、このブドウ糖が全ての代謝材料となる）から、６×４４（ＣＯ２分子量）／１８０（ブドウ糖分子量）＝１．４７となる。この値を乾物増加量の合計（ｇ）に掛け算して求めた値である。
また、実施例１の液肥の試験区のハイポネックス試験区に対するＣＯ２固定換算量の比（倍率）を算出した。
結果を表２に示す。
【００４９】
【表２】
2020132442.tif 000003
【００５０】
表２の結果から、いずれの土壌を用いた場合にも、水道水又はハイポネックスを施用した試験区に比べて、実施例１の液肥を施用した試験区における根の生体重及び乾物重の増加が顕著であった。これは実施例１の液肥が植物の生長を顕著に促したことを示している。
ＣＯ２固定換算量も、ハイポネックスの約１．４倍のＣＯ２を取り込んで同化しており、これに伴い光合成反応によって、より多くのＯ２を周囲環境に放出することがわかる。
表２の結果から、いずれの土壌を用いた場合にも、実施例１の液肥を用いた試験区は、ハイポネックス又は水道水を用いた試験区に比べて、着生葉数及びシュート長の伸張量が大きいことがわかる。
また、肉眼による観察では、実施例１の液肥を用いた試験区は、ハイポネックス又は水道水を用いた試験区に比べて、葉の緑色が濃く鮮やかであった。このことから、実施例１の液肥は、より葉を茂らせ、葉緑体の数を増し、光合成を促進すると考えられる。
【００５１】
上記試験結果から、ケイ酸カリウムを含有する本発明の液肥は、植物の成長を促すことができることがわかる。植物の生長を促すことにより、葉緑体の量を増加させて、光合成を促進させ、従来の液肥を用いた場合よりも多くの酸素を排出させることが期待できる。
【産業上の利用可能性】
【００５２】
観葉植物のみでなく、街路樹等の樹木の光合成を促進させて、より多くの酸素を排出させることができる。そのため、例えば、病院、人が多く集まるイベント会場等に、本発明の液肥を用いて生育した植物を配置することにより、周囲環境の酸素濃度を向上させるのに有用である。
また、本発明の液肥を用いて育成された植物は、葉が鮮やかな緑色を呈し、眼を休めるのに有用であるだけでなく、心の健康にも寄与し得る。例えば、病院等に配置することで、間接的に患者の心身の回復に寄与し得る。